(57)【特許請求の範囲】
【請求項１】
支持フレームに可動フレームが揺動自在に支持されたリクライニングシートのリクライニング装置であって、ネジ孔を有するナット本体にネジ孔の軸芯と交差する方向に軸芯を有する軸部を設けてナット部材を形成し、このナット部材を可動フレームに設けたブラケットに軸部を介して揺動自在に支持させ、支持フレームに設けたブラケットに揺動自在に保持部材を支持させ、長尺のネジ部材をナット部材に螺合するとともに、保持部材に軸回動自在に保持させてなり、保持部材がネジ部材及びナット部材を内設する箱状部と、このネジ部材を回動駆動する駆動部とを有し、この駆動部の駆動をオンオフ制御するスイッチ部材をナット部材に設け、このスイッチ部材が寝た状態でオン、立脚状態でオフする可動片を有し、この箱状部の外郭部内面に可動片が寝た状態で当接するようスイッチ部材を配置するとともに、前記外郭部の前後端部に可動片を立脚状態に貫通させる切り欠き開口部を設けてなることを特徴とするリクライニング装置。
【請求項２】
切り欠き開口部は、箱状部の外郭部の前後端部の所定箇所を内側を残して略コ字状に３方に切り欠き、この切り欠き部を斜め上方に切り起して形成される停止片の残りとして形成されていることを特徴とする請求項１記載のリクライニング装置。
【発明の詳細な説明】
【０００１】
【発明の属する技術分野】
本発明は、リクライニングシートなどに用いられるリクライニング装置に関するものである。
【０００２】
【従来の技術】
従来、図１１に示すように、特開平３−３２９６１号公報に記載されたようなリクライニング装置が提案されている。このリクライニング装置は、ベースに固定されているベース側ブラケットと、このブラケットに揺動自在に支持されているナットと、シート本体に固定されているシート本体側ブラケットと、このブラケットに揺動自在に支持されている支持部材と、ナットに螺合されているともに、支持部材に相対回動自在に支持され、先端にノブを備えている螺杆とから構成されている。
【０００３】
また、ナットは、螺杆が螺合するリング状のナット本体と、このナット本体の一端部に外方へ一体に突設され、略中央にベース側ブラケットの軸孔と連通して揺動用軸が貫通する軸孔を備えた固定片と、から形成されている。
【０００４】
このようなリクライニング装置では、ノブを握って螺杆を回動させることにより、シート本体はベースに対して連続的に相対移動する。
【０００５】
【発明が解決しようとする課題】
しかしながら、上記従来のリクライニング装置では、螺杆が螺合するナットのネジ孔と揺動軸が貫通するナットの軸孔とがねじれの位置関係、すなわち離れた状態で交差しているため、螺杆とナットとの間にこじれが生じ、螺杆の回動に余分な力が必要になり、シート本体のリクライニングがスムーズにできないという問題がある。さらに、シート本体を移動させるのに手動でノブ回転しなければならず、この作業が面倒であるという問題がある。
【０００６】
本発明は、上記事由に鑑みてなしたもので、その目的とするところは、手動によらず電動によってスムーズにリクライニングできるとともに、電動によるオーバーランを防止できるリクライニング装置を提供することにある。
【０００７】
【課題を解決するための手段】
上記目的を達成するために、請求項１記載の発明では、支持フレームに可動フレームが揺動自在に支持されたリクライニングシートのリクライニング装置であって、ネジ孔を有するナット本体にネジ孔の軸芯と交差する方向に軸芯を有する軸部を設けてナット部材を形成し、このナット部材を可動フレームに設けたブラケットに軸部を介して揺動自在に支持させ、支持フレームに設けたブラケットに揺動自在に保持部材を支持させ、長尺のネジ部材をナット部材に螺合するとともに、保持部材に軸回動自在に保持させてなり、保持部材がネジ部材及びナット部材を内設する箱状部と、このネジ部材を回動駆動する駆動部とを有し、この駆動部の駆動をオンオフ制御するスイッチ部材をナット部材に設け、このスイッチ部材が寝た状態でオン、立脚状態でオフする可動片を有し、この箱状部の外郭部内面に可動片が寝た状態で当接するようスイッチ部材を配置するとともに、前記外郭部の前後端部に可動片を立脚状態に貫通させる切り欠き開口部を設けてなることを特徴として構成している。
【０００８】
このようなリクライニング装置では、ネジ部材を回動させることにより、ナット部材がネジ部材長手方向に沿って移動し、可動フレームが揺動して可動フレームの傾斜角度を調節している。ネジ孔の軸芯と軸部の軸芯とが交差しているため、ネジ部材とナット部材との間のこじれを低減して、スムーズにネジ部材を回動できる。また、スイッチ部材の可動片が箱状部の外郭部内面に押圧されて寝た状態に保持されることにより、スイッチ部材がオンとなり駆動部の回転が行われる。そして、この駆動部の回転によりナット部材がネジ部材上を前後方向に移動し、外郭部の前後端部のどちらかの切り欠き開口部下方に到達したとき、スイッチ部材の可動片が切り欠き開口部を貫通して立脚状態となってオフになる。このとき、駆動部の駆動を停止し、ネジ部材の回転が停止してナット部材の移動が停止する。
【０００９】
また、請求項２記載の発明では、請求項１記載の発明において、切り欠き開口部は、箱状部の外郭部の前後端部の所定箇所を内側を残して略コ字状に３方に切り欠き、この切り欠き部を斜め上方に切り起して形成される停止片の残りとして形成されていることを特徴として構成している。
【００１０】
このようなリクライニング装置では、可動片が停止片下面に沿って上方に摺動して立脚状態になる。
【００３５】
【発明の実施の形態】
本発明の実施形態のリクライニング装置を図１乃至図１０に基づいて以下に説明する。
【００３６】
図１は、本発明の実施形態のリクライニング装置を示す縦断面図である。また、図２は、同上のリクライニング装置の要部を示す斜視図である。また、図３は、同上のリクライニング装置の要部を示す横断面図である。また、図４は、同上のリクライニング装置の動作を説明する要部の縦断面図である。
【００３７】
このリクライニング装置は、支持フレーム１に可動フレーム２が揺動自在に支持されたリクライニングシート３に用いられるものであり、ネジ孔４ａを有するナット本体４ｂにネジ孔４ａの軸芯１２と交差する方向に軸芯１３を有する軸部４ｃを設けてナット部材４を形成し、このナット部材４を可動フレーム２に設けたブラケット２ａに軸部４ｃを介して揺動自在に支持させ、支持フレーム１に設けたブラケット１ａに揺動自在に保持部材５を支持させ、長尺のネジ部材６をナット部材４に螺合するとともに、保持部材５に回動自在に保持させている。また、保持部材５をネジ孔４ａの軸芯１２と直交する方向に軸芯を有する回動軸１４に対して回動可能に支持フレーム１のブラケット１ａに軸着している。また、リング状のナット本体４ｂの外側面の両端部に棒状の軸部４ｃを突設してナット部材４が形成されている。また、保持部材５を支持フレーム１のブラケット１ａに枢支された基部と、その外殻部に逃がし溝孔５ｅを備えた箱状部５ｃとから形成し、箱状部５ｃ内部にネジ部材６およびナット部材４を内設するとともに、逃がし溝孔５ｅに可動フレーム２を走行自在に貫通させている。また、保持部材５の軸芯がネジ孔４ａの螺合軸芯１２と交差するように形成されている。また、ネジ部材６を回動駆動する駆動部７が保持部材５に設けられている。また、ナット部材４と、保持部材５とのどちらか一方に駆動部７の駆動をオンオフ制御するスイッチ部材１７，１８を設け、他方にスイッチ部材１７，１８に接触してスイッチ部材１７，１８をオンオフ切り替えする停止片１０を設けている。また、駆動部７とネジ部材６を減速機構を介して連結している。
【００３８】
支持フレーム１は、左右の前後方向に併設され横桟によって連結される棒状の脚部１ｄと、両脚部１ｄ，１ｄの後部にそれぞれ立設された棒状の立脚部１ｃと、両立脚部１ｃ，１ｃ間にその後端部が枢支された角枠状の支持部１ｂとを有している。支持部１ｂは内部にバネ材を取り付けてバネ材の上にリクライニングシート３の座部となるクッション材を積載するものである。可動フレーム２は、縦材、横材を用いて縦長の外形略長方形の枠材２ｂを設け、縦材の中央やや下方位置が支持フレーム１の立脚部１ｃ上部に枢支されて前後方向に揺動自在とされている。可動フレーム２の枢支位置よりも上方部分が背もたれシートを取り付けてリクライニングシート３の背部を構成するものである。また、可動フレーム２の下側の横材略中央に２枚のブラケット２ａ，２ａが並べて垂設されている。この両ブラケット２ａ，２ａの対向位置にナット部材４の軸部４ｃ，４ｃが貫通する丸孔が設けられている。また、支持フレーム１の支持部１ｂ前部の略中央に２枚のブラケット１ａ，１ａが並べて垂設されている。この両ブラケット１ａ，１ａの対向位置に保持部材５を枢支するための丸孔が設けられている。
【００３９】
ナット部材４は、略立方体のナット本体４ｂの前後方向に内周にネジ部を有するネジ孔４ａが設けられている。また、ナット本体４ｂの左右面に軸芯が一致する略円柱状の軸部４ｃが突設されている。この軸部４ｃの外径は可動フレーム２のブラケット２ａの丸孔の内径よりもやや大きく形成され、軸部４ｃに丸孔を貫通させた状態でブラケット２ａが軸部４ｃを中心に回動自在とされている。
【００４０】
ネジ部材６は、長尺棒状に形成され、後部にナット部材４のネジ孔４ａに螺合して貫通するネジ脚部６ａと、前部に円板状のウォームホイール８およびウォームホイール８前方にベアリング９を取り付けた頭部６ｂとから形成されている。ウォームホイール８は、中央の軸孔に頭部６ｂ先端部を突出させて貫通した位置でネジ部材６に固定されている。
【００４１】
保持部材５は、支持フレーム１のブラケット１ａに枢支された基部と、その外殻部に逃がし溝孔５ｅを備えた箱状部５ｃとから形成し、箱状部５ｃ内部にネジ部材６およびナット部材４を内設するとともに、逃がし溝孔５ｅに可動フレーム２を走行自在に貫通させている。基部は、ウォームホイール８、ベアリング９およびネジ部材頭部６ｂを回転可能に収納する収納孔５ｄを備えた収納部５ｂと、この収納部５ｂの前端中央に突設され、前端に支持フレーム１のブラケット１ａに枢着するための丸孔を設けた三角板状の枢着部５ａとから形成されている。収納孔５ｄは、前方よりベアリング９、ウォームホイール８およびネジ部材頭部６ｂをそれぞれ収納するベアリング収納部、ウォームホイール収納部およびネジ部材頭部収納部がそれぞれ連通して形成されている。ベアリング収納部は、ベアリング９外周部を固定保持し、ウォームホイール収納部は、ウォームホイール８よりも大きく、ネジ部材頭部収納部は、収納部５ｂ後方に開口しネジ部材６よりも大きく形成されている。また、ウォームホイール収納部は、収納部５ｂの左右一方の壁面に開口を有している。この開口は、後述する駆動部７の回転軸を貫通させる軸貫通孔として用いられ、回転軸の軸径よりもやや大きく形成されている。
【００４２】
また、箱状部５ｃは、外形略直方体に形成され、前端部が開口し、この開口端部が収納孔５ｄ開口に連通した状態で収納部５ｂに固定されている。箱状部５ｃの上面部の左右には、前後方向略全長に亘って逃がし溝孔５ｅが併設されている。両逃がし溝孔５ｅ，５ｅは、可動フレーム２の両ブラケット２ａ，２ａ間の間隔と略同寸の間隔を隔てて形成され、溝幅は、ブラケット２ａ，２ａの板厚よりもやや大きく形成されている。また、上面部の幅方向略中央の前後端部にそれぞれ停止片１０，１０が形成されている。両停止片１０，１０は、それぞれ上面部の所定部分の内側を残して略コ字状に３方に切り欠き、この切り欠き部を斜め上方略４５度に切り起こして形成されている。
【００４３】
駆動部７は、モーターが好ましく用いられ、回転軸が軸貫通孔を貫通した状態で収納部５ｂ側面に固定されている。回転軸はウォーム軸７ａとして用いられ、ウォーム軸７ａのネジ山部がウォームホイール８に螺合している。
【００４４】
また、ナット部材４上部の前後に駆動部７の駆動をオンオフ制御するスイッチ部材１７，１８が併設されている。この両スイッチ部材１７，１８は上部に上下傾動する可動片１７ａ，１８ａを備えており、両スイッチ部材１７，１８がともに寝た状態のときに、駆動部７がオンし、どちらか一方が立脚状態にあるときに、駆動部７がオフするように、駆動部７および両スイッチ部材１７，１８に電気接続された制御部２９が制御している。
【００４５】
このようなリクライニング装置では、ベアリング収納部にベアリング９外周部を収納固定して、ウォームホイール８およびネジ部材６が各収納部５ｂ内で回転可能に収納されている。また、ネジ部材６のネジ脚部６ａが収納孔５ｄ開口より箱状部５ｃ内空間に突出し、箱状部５ｃ内空間の略中央を前後方向に貫通配置されている。ネジ脚部６ａにはナット部材４ネジ孔４ａが螺合し、ナット部材４の両軸部４ｃ，４ｃが可動フレーム２の両ブラケット２ａ，２ａの丸孔に貫通している。この両ブラケット２ａ，２ａは逃がし溝孔５ｅ，５ｅにそれぞれ貫通し、ナット部材４がネジ脚部６ａ上を前後に走行したときに、両ブラケット２ａ，２ａが逃がし溝孔５ｅ，５ｅを前後に走行する。また、ナット部材４が、両停止片１０，１０間にあるときは、両スイッチ部材１７，１８の可動片１７ａ，１８ａは箱状部５ｃの上面部内面に当接して寝た状態に保持され、ナット部材４が、どちらか一方の停止片１０下方に位置するときに、外側のスイッチ部材の可動片が停止片１０に沿って上方に立ち上がり立脚状態になる。
【００４６】
このようなリクライニング装置では、リクライニングをしたいとき、すなわち可動フレーム２の傾きを変えたいときは、駆動部７を動作させてウォーム軸７ａを回転させることにより、ウォームホイール８、ネジ部材６が回転し、ナット部材４がネジ部材６上を走行することによって行われる。このとき、可動フレーム２は、支持フレーム１との枢支軸下部がナット部材４の移動に伴って移動して回転し、枢支軸上部の傾きが変動する。
【００４７】
また、ナット部材４が、箱状部５ｃの両停止片１０、１０間に位置するときは、スイッチ部材１７、１８の可動片１７ａ、１８ａがともに箱状部５ｃ上面部の下面に当接して押圧され寝た状態に保持され、両スイッチ部材１７，１８がともにオンとなり駆動部７の回転が行われる。そして、ナット部材４が、前後どちらかの停止片１０下方に到達したとき、ナット部材４進行方向側のスイッチ部材の可動片先端が停止片１０下面に沿って上方に習動し、可動片が立脚状態に傾きオフになる。このとき、制御部が駆動部７の駆動を停止させ、ネジ部材６の回転が停止してナット部材４の移動が停止する。
【００４８】
このようなリクライニング装置では、ネジ部材６を回動させることにより、ナット部材４がネジ部材６長手方向に沿って移動し、可動フレーム２が揺動して可動フレーム２の傾斜角度を調節している。ネジ孔４ａの軸芯１２と軸部４ｃの軸芯１３とが交差しているため、ネジ部材６とナット部材４との間のこじれを低減して、スムーズにネジ部材６を回動できる。また、可動フレーム２の傾きの変動に伴ってナット部材４およびネジ部材６に可動フレーム２揺動方向の力が加わったときに、支持フレーム１のブラケット１ａに軸着された保持部材５が回動軸１４の回りに回動する。また、リング状のナット本体４ｂの外側面の両端部に棒状の軸部４ｃを突設してナット部材４が形成されているため、ネジ孔４ａの軸芯１２と軸部４ｃの軸芯１３とを交差させることができる。また、箱状部５ｃ内部にネジ部材６およびナット部材４を内設されているため、ネジ部材６およびナット部材４を外部にさらすことなく保護している。また、箱状部５ｃ外殻部に設けた逃がし溝孔５ｅに可動フレーム２を走行自在に貫通させているため、保持部材５内部のナット部材４に可動フレーム２を結合した状態で、ナット部材４を軸方向に移動できる。また、保持部材５の軸芯がネジ孔４ａの螺合軸芯１２と交差するように形成されているため、保持部材５ブラケット１ａとの間のこじれが低減でき、保持部材５の揺動やネジ部材６の回動をスムーズにできる。また、ネジ部材６を回動駆動する駆動部７が保持部材５に設けられているため、駆動部７を動作させることによりネジ部材６を回動できる。また、スイッチ部材１７、１８をオンさせ駆動部７によりネジ部材６を回動させてナット部材４がネジ部材６上を長手方向に移動したときに、停止片１０がスイッチ部材に接触してオフさせるため、ナット部材４のオーバーランを防止できる。また、駆動部７とネジ部材６を減速機構を介して連結しているため、、小出力の小型モーターなどを使用しても、ネジ部材６を回動するトルクが大きくなり容易にネジ部材６を回動できる。
【００４９】
また、図５は、本発明の実施形態の同上と異なるリクライニング装置に用いるナット部材４を示す分解斜視図である。
【００５０】
このリクライニング装置は、同上のリクライニング装置と略同様に形成されている。異なる点は、ナット部材４を、ネジ孔４ａを有するナット内側部２０と、軸部２２ｄを有するナット外側部とに分離形成し、ナット内側部２０の外面を略球面状に形成し、ナット外側部の内面を、ナット内側部２０外面に習動可能な略球面状に形成していることである。ナット内側部２０は略球体状に形成され、中央にネジ孔４ａが穿設されている。ナット外側部は、ナット内側部２０を上下から挟み込む上側部２１と下側部２２とから形成されている。上側部２１は略立方体状に形成され、下面略中央にナット内側部２０の外形に合わせた凹面部２１ａが形成されている。下側部２２は、上側部２１と同形状で上面略中央に凹面部２２ａを備えた下側部本体２２ｃと、この下側部本体２２ｃ部の左右側面に一体に同軸に突設された円柱状の軸部２２ｄとから形成されている。両軸部２２ｄ、２２ｄの軸芯は凹面部２２ａを外面とする球体の中心位置と交差するように配置されている。上側部２１と下側部２２とは、各凹面部２１ａ，２２ａを対向させて対向面を突き合わせた状態で固定手段（図示せず）により一体に固定されるようにしてある。また、上側部２１と下側部２２とを固定したときにできる両凹面部２１ａ，２２ａで囲まれた空間は、ナット内側部２０の外形よりもわずかに大きく形成されている。
【００５１】
このようなナット部材４では、ナット内側部２０をナット外側部の上側部２１と下側部２２とで上下から挟み込み、上側部２１と下側部２２とを固定手段で固定することにより、ナット部材４が組み立てられる。このとき、ナット内側部２０外面とナット外側部内面との間にはわずかに隙間が開き、ナット内側部２０外面に沿ってナット外側部内面が習動できる。このナット内側部２０外面とナット外側部内面との間にグリスなどの潤滑材を設けておくと、この習動がよりスムーズになる。
【００５２】
このようなリクライニング装置では、可動フレーム２の支持よってネジ部材６に螺合軸芯方向に対して交差する方向に引っ張り力が発生したときに、ナット外側部がナット内側部２０外面に習動してバランスするため、ナット部材４とネジ部材６との間のこじれをさらに低減できる。
【００５３】
また、図６は、本発明の一参考例のリクライニング装置を示し、（ａ）は側面図、（ｂ）は要部の断面図、（ｃ）は（ｂ）図中のＡ−Ａ断面図である。
【００５４】
このリクライニング装置は、同上のリクライニング装置と略同様に形成されている。異なる点は、ネジ部材６に手動操作で回動可能なハンドル部２５を設けていることである。保持部材２６は、ネジ部材頭部６ｂに嵌着したリング状のベアリング材などで構成されており、保持部材２６外面に突設した軸が支持フレーム１のブラケット１ａ，１ａに枢支されている。ネジ部材頭部６ｂの先端部には円周に沿って凹溝６ｃが形成されている。ハンドル部２５は、ネジ部材頭部６ｂが挿入される略丸孔状の取り付け孔２５ｃが後部に開設された本体部２５ｂと、本体部２５ｂの前部に取り付け孔２５ｃ中心線と離れた位置に設けた棒状の操作片２５ａとを備えている。取り付け孔２５ｃは、略扇形状に形成され、ネジ部材頭部６ｂは、取り付け孔２５ｃにちょうど嵌まりあう形状の外形略扇形状に形成されている。また、取り付け孔２５ｃの内側面に横孔２５ｄが穿設され、横孔２５ｄ内にコイルバネなどのバネ材２７が内設されている。バネ材２７は奥側が横孔２５ｄ奥端に固定され、バネ材開口側に略球体状の係止片２５ｅが固定されている。係止片２５ｅは凹溝６ｃ内幅よりもやや小さい外径を有し、横孔２５ｄの開口部より先端部が突出するよう形成されている。
【００５５】
このようなリクライニング装置では、ネジ部材頭部６ｂを取り付け孔２５ｃに挿入すると、係止片２５ｅがネジ部材頭部６ｂに押されてバネ材２７のバネ力に抗して横孔２５ｄ内に後退し、係止片２５ｅの位置に凹溝６ｃが位置するまでネジ部材頭部６ｂが取り付け孔２５ｃ進入したときに、横孔２５ｄ内に後退していた係止片２５ｅが凹溝６ｃ内に突出して嵌合することによって、取り付け孔２５ｃにネジ部材頭部６ｂを収納保持してハンドル部２５とネジ部材６とを固定している。そして、ハンドル部２５の操作片２５ａを手で持って回転させることによって、ネジ部材６が回転し、可動フレーム２の傾きを変動できる。取り付け孔２５ｃおよびネジ部材頭部６ｂが略扇形状に形成されているため、ハンドル部２５を回転させたときに、取り付け孔２５ｃ内でネジ部材頭部６ｂが回転方向に習動することなく、スムーズに回転する。また、リクライニング角度、すなわち可動フレーム２の傾きが調整できて変更する必要がないときなど、不要なハンドル部２５を取り外すことができる。この取り外し作業は、ハンドル部２５を強く引くことにより、バネ材２７のバネ力に抗してネジ部材頭部６ｂが係止片２５ｅを凹溝６ｃから横孔２５ｄ内に押しやり、簡単に引き抜くことができる。
【００５６】
また、図７は、本発明の実施形態の同上と異なるリクライニング装置の要部の構成を示すブロック図である。
【００５７】
このリクライニング装置は、同上のリクライニング装置と略同様に形成されている。異なる点は、可動フレーム２の角度位置を検出する角度検出部３０と、所定の設定角度を記憶する記憶部３２と、記憶部３２から設定角度を呼び出し、角度検出部３０で検出された可動フレーム２の角度を設定角度で停止保持するよう駆動部７を制御する制御部２９と、を備えていることである。
【００５８】
角度検出部３０は、例えばネジ部材６の回転数を検出するエンコーダーなどから形成される。設定角度は記憶部３２に操作部３１を介して直接角度値を入力して設定できるようにしてあってもよいし、角度検出部３０で検出された検出角度を記憶部３２に記憶させるようにしてあってもよい。制御部２９は、角度検出部３０で検出された可動フレーム２の角度と設定角度とを比較し、両者が一致したときに駆動部７に停止信号を出力するようにしてある。
【００５９】
このようなリクライニング装置では、角度検出部３０で検出された可動フレーム２の角度が設定角度で停止保持するため、可動フレーム２を所望の角度、すなわち好みのリクライニング角度を簡単に再現することができる。
【００６０】
また、図８は、本発明の実施形態の同上と異なるリクライニング装置の要部を示す側面図である。
【００６１】
このリクライニング装置は、同上のリクライニング装置と略同様に形成されている。異なる点は、支持フレーム１と可動フレーム２とを弾性を有する連結材３４で連結していることである。連結材３４は、例えばガススプリングなどから形成され、支持フレーム１の脚部１ｄ後端部上部と可動フレーム２の下端部後部との間に連結されている。  このようなリクライニング装置では、支持フレーム１と可動フレーム２とを弾性を有する連結材３４で連結しているため、可動フレーム２を倒す方向にネジ部材６を回動させたときに、可動フレーム２の自重によってナット部材４の軸部４ｃ，２２ｄにかかる力を低減し、ナット部材４にかかる負担を低減している。
【００６２】
また、図９は、本発明の実施形態の同上と異なるリクライニング装置の要部を示す側面図であり、（ａ）は可動フレーム２を立てた状態、（ｂ）は可動フレーム２を寝かせた状態を示す。
【００６３】
このリクライニング装置は、同上のリクライニング装置と略同様に形成されている。異なる点は、ネジ部材６におけるナット部材４前部および後部をそれぞれ覆う伸縮式のカバー部材３３を設けていることである。各カバー部材３３は、じゃばら構造を有し、前側のカバー部材３３ａの前端部が保持部材５，２６の支持部１ｂ後端部に固定され、後端部がナット部材４前端部に固定されている。また、後側のカバー部材３３ｂの前端部がナット部材４後端部に固定され、後端部がネジ部材６後端部に設けたリング片に当接している。
【００６４】
このようなリクライニング装置では、ネジ部材６におけるナット部材４前部および後部をそれぞれ伸縮式のカバー部材３３で覆っているため、ナット部材４の位置にかかわらずネジ部材６を保護できる。
【００６５】
また、図１０は、本発明の実施形態の同上と異なるリクライニング装置の要部を示す側面図であり、（ａ）、（ｂ）に異なるリクライニング装置である。
【００６６】
このリクライニング装置は、同上のリクライニング装置と略同様に形成されている。異なる点は、保持部材５におけるブラケット支持部とネジ部材支持部との長さを変更調節可能に形成していることである。この場合、保持部材５の枢着部５ａが収納部５ｂと分離形成され、例えばネジ部材６などを用いて枢着部５ａと収納部５ｂとを固定できるようにしている。枢着部５ａは略三角板状に形成されており、支持フレーム１の支持部１ｂの前後方向長さが異なる仕様のリクライニングシート３に対応して、複数の長さの異なるものをあらかじめ作製しておく。そして、支持部１ｂの前後方向長さに適合する長さの枢着部５ａを選択し、収納部５ｂに固定することにより、保持部材５を組み立てる。
【００６７】
このようなリクライニング装置では、支持フレーム１が異なるリクライニングシート３に対応して、保持部材５におけるブラケット支持部とネジ部材支持部との長さを変更調節することにより、保持部材５の共有化ができる。
【００６８】
【発明の効果】
請求項１記載の発明では、ネジ孔の軸芯と軸部の軸芯とが交差しているため、ネジ部材とナット部材との間のこじれを低減して、スムーズにネジ部材を回動できる。また、ナット部材が、箱状部の前後どちらかの切り欠き開口部下方に到達したときに、スイッチ部材の可動片が切り欠き開口部を貫通して閉状態から開状態へ移行することにより、駆動部の駆動を停止しているので、ナット部材のオーバーランを防止できる。
【００６９】
また、請求項２記載の発明では、可動片が停止片下面に沿って上方に摺動して立脚状態にすることができる。
【図面の簡単な説明】
【図１】本発明の実施形態のリクライニング装置を示す縦断面図である。
【図２】同上のリクライニング装置の要部を示す斜視図である。
【図３】同上のリクライニング装置の要部を示す横断面図である。
【図４】同上のリクライニング装置の動作を説明する要部の縦断面図である。
【図５】本発明の実施形態の同上と異なるリクライニング装置に用いるナット部材を示す分解斜視図    である。
【図６】本発明の一参考例のリクライニング装置を示し、（ａ）は側面図、（ｂ）は要部の断面図、    （ｃ）は（ｂ）図中のＡ−Ａ断面図である。
【図７】本発明の実施形態の同上と異なるリクライニング装置の要部の構成を示すブロック図である    。
【図８】本発明の実施形態の同上と異なるリクライニング装置の要部を示す側面図である。
【図９】本発明の実施形態の同上と異なるリクライニング装置の要部を示す側面図であり、（ａ）は    可動フレームを立脚状態、（ｂ）は可動フレームを寝かせた状態を示す。
【図１０】本発明の実施形態の同上と異なるリクライニング装置の要部を示す側面図であり、（ａ）、    （ｂ）に異なるリクライニング装置である。
【図１１】従来のリクライニング装置を示す。
【図１】
0003584818.tif 000002
【図２】
0003584818.tif 000003
【図３】
0003584818.tif 000004
【図４】
0003584818.tif 000005
【図５】
0003584818.tif 000006
【図６】
0003584818.tif 000007
【図７】
0003584818.tif 000008
【図８】
0003584818.tif 000009
【図９】
0003584818.tif 000010
【図１０】
0003584818.tif 000011
【図１１】
0003584818.tif 000012